(57)【要約】【課題】様々な寸法の被引張体に無理なく対応でき、被引張体を傷付けることなく、安全且つスムーズに抜き取ることができるプラーを提供すること。【解決手段】引張力の作用端において、引張力の作用方向と交差する平面内に設置されたプレッシャープレート装置１０を有し、プレッシャープレート装置１０は、同一円周上に配置された内周縁が弧状の３個のプレート１１と、隣接するプレート１１どうしを連結する３本の接続棒１２とから成り、プレート１１の内縁部を引張方向へ鉤状に屈曲して突起部１１１を形成し、プレート１１の外周部両側にそれぞれ透孔１１２を形成すると共に、隣接するプレート１１の対応する透孔１１２へ接続棒１２を摺動・固定可能に挿通してある。【選択図】      図２
2004261946.tif 000002
【特許請求の範囲】
【請求項１】
引張力の作用端において、引張力の作用方向と交差する面内に設置されたプレッシャープレート装置を有し、該プレッシャープレート装置は、同一円周上に配置された内周縁が円弧状の３個のプレートと、隣接するプレートどうしを連結する３本の接続棒とから成り、前記プレートの内縁部を引張方向へ鉤状に屈曲して突起部を形成し、前記プレートの外周部両側にそれぞれ透孔を形成すると共に、隣接するプレートの対応する透孔に前記接続棒を摺動・固定可能に挿通したことを特徴とするプラー。
【請求項２】
前記プレッシャープレート装置は、プラー本体にジョイントアームを介して連結され、前記プラー本体は、主軸と、前記主軸の外周に嵌合された外管と、前記主軸を外管に対して相対摺動させる駆動部とを備え、該外管の外周に前記ジョイントアームの一端が接合されると共に、他端が前記プレッシャープレート装置に接合され、前記各プレートの両端面に沿う直線の交差角度がほぼ１２０度である請求項１に記載のプラー。
【請求項３】
前記ジョイントアームは、一方の帯板と、他方の帯板と、連結部材とから成り、前記一方の帯板には、多数の長さ調整孔が軸方向に沿って形成されると共に、その一端が前記ネジ管の外周から張り出す取付フィンに回動自在に接合され、前記他方の帯板の一端は、前記一方の帯板に形成されたいずれかの長さ調整孔に着脱可能に取り付けられ、前記他方の帯板の他端は前記連結部材の一端に回動自在に取り付けられ、前記連結部材の他端面に形成されたネジ穴に、前記プレートを貫通する固定ネジが螺合された請求項２に記載のプラー。
【発明の詳細な説明】
【０００１】
【発明の属する技術分野】
本発明は、軸受け等の円盤状の被抜取物を取り外すのに好適なプラーに関する。
【０００２】
【従来の技術】
従来のプラーは、図９及び図１０に示すように、外周に雄ネジが形成された主軸ａに、雌ネジが形成された外管ｂを螺合し、外管ｂに対して径方向へ移動・固定可能に連結された一対のボルトｃの先端に、それぞれ半円形のプレートｄを固定し、一対のプレートｄの両端どうしをネジ棒ｅで連結してある。
そして、主軸ａの下端を、軸受け等の被抜取物ｆが取り付けられている軸ｇの端面に当接し、一対のプレートｄを被抜取物の下面に係合し、手で押さえるなどして、外管ｂの回動を規制した状態で主軸ａを回動させると、主軸ａが外管ｂに対して摺動する。すると、外管ｂに連結されたプレートｄが主軸ａに対して移動し、この結果、プレートｄと係合した被抜取物ｆが軸ｇから抜き取られるようになっている。
【０００３】
ところで、被抜取物ｆの寸法は様々なので、上記従来のプラーは、ボルトｃを径方向に移動させて、プレートｄの内縁で形成される円の直径を変化させ、被抜取物ｆの直径の変化に対応することができる。
しかし、２個のプレートｄで被抜取物ｆの寸法の変化に対応するには限界があり、被抜取物ｆの寸法が大きく変化すると、その下面周方向のきわめて短い一部分のみにプレートｄが係合することも多い。
このように被抜取物ｆの狭い部分にプレートｄを係合して、プレートｄを引っ張ると、圧力の不均衡によるぐらつきが発生し、抜き取り作業の効率が低下したり、甚だしい場合には、ネジ棒ｅが湾曲し、操作者に危険が及んだり、プラーそのものが致命的な損傷を受ける心配がある。
【０００４】
また、図１１に示すように、プレートｄが傾くと、プレートｄが被抜取物ｆの下面外縁寄りに係合し、プレートｄと被抜取物ｆの接触面とが鋭い鋭角を形成する。この状態で、被抜取物ｆに圧力が加わると、被抜取物ｆがスムーズに抜けないばかりか、被抜取物ｆに不必要な傷を付ける虞がある。
さらに、２本のボルトｃでプレートｄを支持しているため、ボルトｃに加わる負担が大きく、安定性も悪い。
【０００５】
【発明が解決しようとする課題】
この発明は、様々な寸法の被引張体に無理なく対応でき、被抜取物を傷付けることなく、安全且つスムーズに抜き取ることができるプラーを提供することを課題とする。
【０００６】
【課題を解決するための手段】
本発明のプラーは、引張力の作用端において、引張力の作用方向と交差する面内に設置されたプレッシャープレート装置を有し、該プレッシャープレート装置は、同一円周上に配置された内周縁が円弧状の３個のプレートと、隣接するプレートどうしを連結する３本の接続棒とから成り、前記プレートの内縁部を引張方向へ鉤状に屈曲して突起部を形成し、前記プレートの外周部両側にそれぞれ透孔を形成すると共に、隣接するプレートの対応する透孔に接続棒を摺動・固定可能に挿通してある。
【０００７】
接続棒を透孔に対して摺動させることにより、プレートを径方向に移動させて、被抜取物の寸法変化に対応する。
３個のプレートを設けた構成により、被抜取物に対する作用面積を一定に確保し、被抜取物に加わる圧力を均等に分散する。
プレートの内縁部に引張方向へ屈曲した突起部を形成したことによって、この突起部が確実に被抜取物の内周近くに達し、引張力を加えたときに被抜取物を傾斜させようとするモーメントが抑制されて、被抜取物の破損を防ぐと共に、抜き取りをスムーズにする。
【０００８】
プレッシャープレート装置は、プラー本体にジョイントアームを介して連結され、前記プラー本体は、主軸と、前記主軸の外周に嵌合された外管と、主軸を外管に対して相対摺動させる駆動部とを備え、外管の外周に前記ジョイントアームの一端を接合すると共に、他端を前記プレッシャープレート装置に接合し、各プレートの両端面に沿う直線の交差角度をほぼ１２０度としても良い。
【０００９】
この場合、ジョイントアームは、一方の帯板と、他方の帯板と、連結部材とから成り、前記一方の帯板には、多数の長さ調整孔が軸方向に沿って形成されると共に、その一端が前記ネジ管の外周から張り出す取付フィンに接合され、前記他方の帯板の一端は、前記一方の帯板に形成されたいずれかの長さ調整孔に着脱可能に取り付けられ、前記他方の帯板の他端は前記連結部材の一端に取り付けられ、前記連結部材の他端面に形成されたネジ穴に、前記プレートを貫通する固定ネジが螺合されることもある。
【００１０】
【発明の実施の形態】
図１乃至図６は、本発明の第１の実施形態を示す。
図１及び図２に示すように、本発明のプラーは、プラー本体３０と、３本のジョイントアーム２０を介してプラー本体３０に連結され、プラー本体３０を作動することによって引き起こされる引張力の作用端において、引張力の作用方向と交差する平面内に設置されたプレッシャープレート装置１０とを備える。
【００１１】
プラー本体３０は、主軸３２と、主軸３２の外周に嵌合された外管３３と、主軸３２の上端に設置されて、主軸３２を外管３３に対して相対摺動させる油圧式の駆動部３１とから成る。
主軸３２の外周面には雄ネジが形成されると共に、外管３３の内周面には雌ネジが形成され、主軸３２を回動させることにより、主軸３２と外管３３とは相対的に摺動するが、その基本的な駆動構造は従来周知なので、詳しい説明は省略する。
【００１２】
外管３３の外周面には、３個の取付フィン３３１がほぼ等間隔で張り出しており、この取付フィン３３１にそれぞれジョイントアーム２０の一端が接合される。
ジョイントアーム２０は、一方の帯板２１と、他方の帯板２２と、連結部材２３とから成る。
一方の帯板２１は、多数の関節部を有する屈曲可能な鎖状に形成され、各関節部にはそれぞれ長さ調整孔２１１が形成される。即ち、一方の帯板２１には、軸方向に沿って多数の長さ調整孔２１１が一定間隔ごとに形成されている。
また、一方の帯板２１の一端は、外管３３から張り出した取付フィン３３１に接合されている。
【００１３】
他方の帯板２２の一端には２個の取付孔２２１が形成され、これらの取付孔２２１を一方の帯板２１の長さ調整孔２１１と一致させてボルト・ナットで固定することにより、一方の帯板２１と他方の帯板２２とが連結される。
従って、他方の帯板２２の取付孔２２１を、一方の帯板２１のどの長さ調整孔２１１と固定するかによって、ジョイントアーム２０の長さを調節することができる。
また、他方の帯板２２の他端には１個の取付孔２２１’が形成されている。
【００１４】
連結部材２３は、プレッシャープレート装置１０に固定される部材であって、その一端面には一対の突片２３１がやや間隔をおいて突出され、他端面には、図示しないネジ穴が形成される。
そして、突片２３１の間に他方の帯板２２の他端を差し込んで、突片２３１に形成された孔と他方の帯板２２の取付孔２２１’をボルト・ナットで固定することにより、他方の帯板２２が連結部材２３に取り付けられる。
【００１５】
プレッシャープレート装置１０は、同一円周上に配置された３個のプレート１１と、隣接するプレート１１どうしを連結する３本の接続棒１２とから成る。
それぞれのプレート１１は、円周を３等分した形状、即ち、両側面に沿う直線の交差角度が１２０度となるよう形成され、プレート１１の内周縁は円弧状となっている。
また、プレート１１の内周部は外周部よりも薄肉であり、プレート１１の内縁部は、引張方向（プラー本体３０の方向）へ鉤状に屈曲した突起部１１１となっている。
【００１６】
各プレート１１の中央部にはネジ孔１１３が穿設され、このネジ孔１１３を塞ぐようにジョイントアーム２０の連結部材２３の他端面をあてがい、ネジ孔１１３にねじ込んでプレート１１を貫通した固定ネジ２４の先端を、連結部材２３の他端面に形成されたネジ穴に螺合して、３本のジョイントアーム２０の他端にそれぞれプレート１１が取り付けられる。
これにより、３個のプレート１１が、ジョイントアーム２０を介してプラー本体３０の外管３３に連結される。
【００１７】
プレート１１の外周部両側には、それぞれ透孔１１２が形成される。両側の透孔１１２の中心軸は６０度の角度を持って交差し、隣接するプレート１１の対応する透孔１１２は同一軸線上に配置される。
そして、隣接するプレート１１の対応する透孔１１２に、それぞれ接続棒１２が摺動・固定可能に挿通される。
接続棒１２は、一端に径大の頭部が装着されると共に、他端部が雄ネジとなっており、他端部にナット１２１が螺合されている。
【００１８】
接続棒１２の頭部とナット１２１とで、隣り合うプレート１１の透孔１１２部分を挟み、プレート１１どうしを接続してあるので、図３に示すように、ナット１２１を締め込んだり、緩めたりすると、プレート１１間の距離が変化して、プレート１１が径方向に沿って移動する。
この結果、３個のプレート１１の内周縁で構成される円の直径が拡大或いは縮小し、プレート１１を係合しようとする被抜取物の寸法の違いに対応できる。
【００１９】
本発明のプラーは次のように使用される。
図４に示すように、軸５と軸５の外周に設置された軸受け４とを分離するには、プラー本体３０の主軸３２を軸５の中心軸に沿って、軸５の上端面に臨むよう配置すると共に、プレート１１を軸受け４の下方に配置する。
次いで、プレート１１を径方向に移動させて、その内縁で構成される円の直径を軸受け４の直径に合わせ、プレート１１の突起部１１１を軸受け４の下面に係合する。また、主軸３２と外管３３との位置を調節して、主軸３２の先端を軸５の上端面に当接する。
【００２０】
そして、駆動部３１を駆動して主軸３２を外管３３に対して相対的に摺動させ、外管３３を主軸３２の上方（駆動部３１寄り）へ移動させると、ジョイントアーム２０を介して外管３３に連結されたプレート１１が上方へ引っ張られる。この結果、主軸３２により軸５が下方へ押されるのに対し、プレート１１で軸受け４が上方へ引っ張られ、軸５と軸受け４とが分離する。
なお、プレート１１の内縁に形成された突起部１１１は鉤状に屈曲しているので、図５に示すように、この突起部１１１は確実に軸受け４の内周部４２に達し、従来のもののように外周部４１に引張力が加わって軸受け４が損傷を受けるのを防ぐ。
【００２１】
また、３個のプレート１１が径方向に移動可能に設けられているので、図６に示すように、軸受け４の形状や寸法が変わっても、無理なく対応することができ、プレート１１の内縁によって形成される円の直径を変えても、プレート１１のほぼ全長が軸受け４に係合するため、軸受け４に対して作用する引張力を均等化することができる。
さらに、ジョイントアーム２０の一方の帯板２１は、多数の関節部を有するので、引張力の不均衡が生じてもこれを吸収することができ、抜取り作業の安定性が増す。
【００２２】
図７は、第２の実施形態を示す。
３本のジョイントアーム３４は、それぞれ、中間に関節部を有し、この関節部から屈曲可能な一方の帯板３５と、先端に爪３６１を設けた他方の帯板３６とを備える。一方の帯板３５の一端は、外管３３から張り出した取付フィン３３１に接合され、一方の帯板３５の他端は、他方の帯板３６の中間部に接合される。
また、他方の帯板３６の爪３６１はそれぞれ接続棒１２に係合され、これにより、プレッシャープレート装置１０がジョイントアーム３４を介してプラー本体３０に連結されている。
【００２３】
図８は、第３の実施形態を示す。
このプラーは、第２の実施形態と同じ構造のジョイントアーム３４を３本有し、ジョイントアーム３４を構成する他方の帯板３６の爪３６１が、それぞれプレート１１に係合している。
第２及び第３の実施形態において、その他の構成は、第１の実施形態とほぼ同様なので、同一部分に同一符号を付して、詳細な説明を省略する。
【００２４】
【発明の効果】
本発明によれば、接続棒を透孔に対して摺動させることにより、３個のプレートを径方向に移動させて、被抜取物の寸法変化に無理なく対応することができ、２個のプレートを有する従来のものに比べて適用範囲が広がり、しかも、被抜取物に対する作用面積を一定以上に確保し、被抜取物に加わる圧力を均等に分散するため、作業の効率が高まると共に、作業の安全性が向上する。
また、プレートの内縁部に引張方向へ屈曲した突起部を形成したので、突起部が確実に被抜取物の内周近くに達し、引張力を加えたときに被抜取物を傾斜させようとするモーメントが小さく抑えられ、このため、被抜取物の破損を防いで、スムーズに抜き取ることができる。
【図面の簡単な説明】
【図１】第１の実施形態を示すプラーの斜視図。
【図２】第１の実施形態を示すプラーの分解斜視図。
【図３】第１の実施形態を示すプラーの平面図。
【図４】第１の実施形態を示すプラーの使用状態における斜視図。
【図５】第１の実施形態を示すプラーの要部断面図。
【図６】第１の実施形態を示すプラーの他の使用状態における斜視図。
【図７】第２の実施形態を示すプラーの斜視図。
【図８】第３の実施形態を示すプラーの斜視図。
【図９】従来のプラーの斜視図。
【図１０】従来のプラーの平面図。
【図１１】従来のプラーの要部断面図。
【符号の説明】
１０  プレッシャープレート装置
１１  プレート
１１１  突起部
１１２  透孔
１１３  ネジ孔
１２  接続棒
１２１  ナット
２０  ジョイントアーム
２１  一方の帯板
２１１  長さ調整孔
２２  他方の帯板
２２１，２２１’  取付孔
２３  連結部材
２３１  突片
２４  固定ネジ
３０  プラー本体
３１  駆動部
３２  主軸
３３  外管
３３１  取付フィン
３４  ジョイントアーム
３５  一方の帯板
３６  他方の帯板
３６１  爪
４  軸受け（被抜取物）
４１  外周部
４２  内周部
５  軸
【図１】
2004261946.tif 000003
【図２】
2004261946.tif 000004
【図３】
2004261946.tif 000005
【図４】
2004261946.tif 000006
【図５】
2004261946.tif 000007
【図６】
2004261946.tif 000008
【図７】
2004261946.tif 000009
【図８】
2004261946.tif 000010
【図９】
2004261946.tif 000011
【図１０】
2004261946.tif 000012
【図１１】
2004261946.tif 000013